(57)【要約】【課題】永久磁石に作用する逆磁界に抗し得る保磁力を具備しながら、その製造コストをより廉価にすることのできる磁石埋め込み型モータ用ロータと、該ロータを具備する磁石埋め込み型モータを提供する。【解決手段】複数の永久磁石２１，…がロータコア内に埋め込まれてなる磁石埋め込み型モータのロータ１であって、永久磁石２１は、該永久磁石２１に作用する逆磁界の大きさに応じて保磁力の異なる複数の磁石領域から形成されており、相対的に大きな逆磁界が作用する領域であって、そのロータコアの軸方向の両端部に対応する該永久磁石２１の両端部の領域には、相対的に保磁力の大きな磁石領域２１ａが割り当てられている。【選択図】図２
2010119190.tif 000002
【特許請求の範囲】
【請求項１】
複数の永久磁石がロータコア内に埋め込まれてなる磁石埋め込み型モータのロータであって、
前記永久磁石は、該永久磁石に作用する逆磁界の大きさに応じて保磁力の異なる複数の磁石領域から形成されており、相対的に大きな逆磁界が作用する領域であって、そのロータコアの軸方向の両端部に対応する該永久磁石の両端部の領域には、相対的に保磁力の大きな磁石領域が割り当てられていることを特徴とする、磁石埋め込み型モータ用ロータ。
【請求項２】
前記相対的に保磁力の大きな磁石領域が、前記永久磁石の両端部の領域であって、かつ、該永久磁石のステータ側の領域である、請求項１に記載の磁石埋め込み型モータ用ロータ。
【請求項３】
前記相対的に保磁力の大きな磁石領域が、前記両端部の領域、もしくは、前記両端部でかつ前記ステータ側の領域に加えて、ステータ側に対向する側面の前記軸方向に沿う側端部領域である、請求項１または２に記載の磁石埋め込み型モータ用ロータ。
【請求項４】
前記永久磁石は平面視矩形に形成されており、
１極当たり１つの前記永久磁石が配設されるものである、請求項１〜３のいずれかに記載の磁石埋め込み型モータ用ロータ。
【請求項５】
前記永久磁石は平面視矩形に形成されており、
１極当たり２つの前記永久磁石が配設されるものであり、該２つの永久磁石は、ロータの回転軸からステータ側に向って広がりながら平面視が略Ｖ字状を成していることを特徴とする、請求項１〜３のいずれかに記載の磁石埋め込み型モータ用ロータ。
【請求項６】
請求項１〜５のいずれかに記載のロータを具備することを特徴とする、磁石埋め込み型モータ。
【発明の詳細な説明】
【技術分野】
【０００１】
本発明は、永久磁石がロータ内に埋め込まれてなる磁石埋め込み型モータ用ロータと、このロータを具備する磁石埋め込み型モータに関するものである。
【背景技術】
【０００２】
永久磁石をロータ内部に埋め込んでなる磁石埋め込み型モータ（ＩＰＭモータ）は、コイルと永久磁石の吸引力／反発力に起因するマグネットトルクに加えてリラクタンストルクを得ることができるため、永久磁石をロータ外周面に貼着してなる表面磁石型モータ（ＳＰＭモータ）に比して高トルクかつ高効率である。したがって、この磁石埋め込み型モータは、高出力性能が要求されるハイブリット車、電気自動車の駆動用モータ等に使用されている。
【０００３】
上記ＩＰＭモータにおいては、その電流位相制御の際に負のｄ軸電流が流れ、この電流に起因する逆磁界が永久磁石に作用することになるが、この逆磁界が大きな場合には永久磁石に不可逆減磁が発生することから、この不可逆減磁に抗し得る大きな保磁力の永久磁石が使用されている。この減磁作用を図１０に基づいて説明する。図１０ａには、１極当たり２つの永久磁石Ｍ，Ｍが配設されており、この２つの永久磁石Ｍ、Ｍは、ロータＡの回転軸からステータＢ側に向って広がる平面視が略Ｖ字状の態様で埋設されている形態が図示されている。永久磁石を平面的に見た際に、該永久磁石の減磁作用の大きな部分は、永久磁石Ｍ，Ｍのロータ鉄心外周側の角ａ，ｂ，ｃ，ｄであり、中でもｄ軸側の角ｂ，ｃであることが分かっている。なお、永久磁石Ｍ，Ｍの間のロータコア部Ａ１において磁束が短絡し易く、これによっても永久磁石Ｍ，Ｍの角ｂ，ｃにおいて逆磁界が大きくなる。
【０００４】
一方、本発明者等によれば、この永久磁石Ｍをその長手方向（図１０ａのｂ矢視方向）で見た際に、該永久磁石の減磁作用の大きな部分はその両端ｆ、ｆや、該両端ｆ、ｆを繋ぐ側端ｇ、ｇであることが実証されており、より詳細には、これらの両端部ｆ、ｆや、その軸方向に沿う側端部ｇ、ｇの特にステータ側の領域で減磁が顕著である。
【０００５】
ところで、上記永久磁石として希土類磁石が一般に使用されている。この希土類磁石は、結晶磁気異方性の高い元素であるジスプロシウム（Ｄｙ）やテルビウム（Ｔｂ）を加えることでその保磁力が高められる一方で、かかる元素は希少かつ高価であることから、永久磁石の保磁力増加にジスプロシウム等を添加することは永久磁石の製造コストの高騰に直結する。従来の磁石埋め込み型モータ用ロータに使用される永久磁石では、上記する隅角部や両端部等で要求される保磁力を得るためのジスプロシウム等が永久磁石の全体に使用されており、そのためにロータ製造コストが高騰していた。さらに、永久磁石の性能として保磁力と同様に重要な残留磁束密度に関しては、保磁力の増加に伴って減少する傾向があるため、保磁力を増加させることで減少した磁束密度を解消するためにより多くの磁石を必要とし、これによってもロータ製造コストが高騰していた。したがって、上記する逆磁界に対して所望の保磁力を有する永久磁石を備えたロータを如何に安価に製造できるかが、ハイブリッド車等の量産にとって極めて重要な課題の一つとなっている。
【０００６】
なお、上記する逆磁界を低減する磁石埋め込み型モータに関する技術として特許文献１，２を挙げることができる。双方の技術はともに、ロータコア内に埋め込まれる永久磁石の端部に空気層を介在させることにより、局所的に大きな逆磁界を低減させるものである。
【０００７】
【特許文献１】特開平１１−３５５９８５号公報
【特許文献２】特開２００３−１４３７８８号公報
【発明の開示】
【発明が解決しようとする課題】
【０００８】
特許文献１，２に開示の磁石埋め込み型モータ用のロータによれば、永久磁石端部に空気層を形成することで逆磁界を低減することができるが、この永久磁石に生じる最大の逆磁界に応じて永久磁石の保磁力が決定されることから、永久磁石内で逆磁界の影響をそれほど受けない部位は余分な保磁力を有していることになり、これは材料コストの高騰に繋がるものであり、ひいては磁石埋め込み型モータの製造コストの高騰の一要因でもある。
【０００９】
本発明は、上記する問題に鑑みてなされたものであり、永久磁石に作用する逆磁界に抗し得る保磁力を具備しながら、その製造コストをより廉価にすることのできる磁石埋め込み型モータ用ロータと、該ロータを具備する磁石埋め込み型モータを提供することを目的とする。
【課題を解決するための手段】
【００１０】
前記目的を達成すべく、本発明による磁石埋め込み型モータ用ロータは、複数の永久磁石がロータコア内に埋め込まれてなる磁石埋め込み型モータのロータであって、前記永久磁石は、該永久磁石に作用する逆磁界の大きさに応じて保磁力の異なる複数の磁石領域から形成されており、相対的に大きな逆磁界が作用する領域であって、そのロータコアの軸方向の両端部に対応する該永久磁石の両端部の領域には、相対的に保磁力の大きな磁石領域が割り当てられていることを特徴とするものである。
【００１１】
本発明の磁石埋め込み型モータ用ロータは、そのスロット内に配設される永久磁石がその領域ごとに必要保磁力が異なることに鑑み、領域ごとに保磁力が異なる永久磁石を具備するロータとするものであり、特に、永久磁石の長手方向、すなわち、そのロータコアの軸方向の両端部に対応する該永久磁石の両端部の領域の保磁力を相対的に大きくすることで、使用されるジスプロシウム（Ｄｙ）やテルビウム（Ｔｂ）等を必要最小限に抑えることができ、その結果として磁束密度の減少も最小限に抑えることができ、もってロータ製造コストを格段に低減できるものである。
【００１２】
ここで、ロータ内における永久磁石の配設態様は、１極当たり１つの永久磁石が割り当てられ、例えば平面視が矩形の永久磁石をその矩形の長手方向がステータ側に対向するように配設する形態や、１極当たり２つの永久磁石が割り当てられ、ロータの回転軸からステータ側に向って広がりながら平面視が略Ｖ字状を成しているＶ字配置形態などを挙げることができる。
【００１３】
いずれの形態であっても、既述のごとくロータコアの軸方向端部に対応する永久磁石の両端部において減磁が激しいことから、この両端部にジスプロシウム等の含有量の多い磁石領域が割り当てられるものである。
【００１４】
また、本発明者等の検証によれば、減磁がより顕著となる領域は、前記永久磁石の両端部の領域であって、かつ、該永久磁石のステータ側の領域であることが特定されており、当該領域のみを保磁力の大きな磁石領域とすることで、ジスプロシウム等の使用量をさらに低減することができる。
【００１５】
また、上記検証に基づけば、前記両端部の前記ステータ側の領域に加えて、ステータ側に対向する側面の前記軸方向に沿う端部領域も減磁が顕著であることも特定されており、したがって、これらの領域を保磁力の大きな磁石領域とする形態であってもよい。
【００１６】
ここで、上記する永久磁石の製造方法について概説する。領域ごとにたとえばジスプロシウム等の含有量を相違させる方法として、一つにはいわゆるジスプロシウム等拡散法による製造方法を適用でき、他には、保磁力の異なる磁石を別体に成形後、これらを耐熱性接着剤等で接着させる方法を適用できる。
【００１７】
ジスプロシウム等拡散法にはさらに二つの方法があり、そのうちの一つの方法は、フッ化ジスプロシウム（ＤｙＦ３）溶液内に永久磁石を浸漬させ、その後に加熱処理することでジスプロシウムを永久磁石内部に浸透させるものであり、この方法によると永久磁石の外周部のジスプロシウム含有量が多く、内部のそれは相対的に少なくすることができて、永久磁石の領域ごとに保磁力を変化させることが可能となる。
【００１８】
ジスプロシウム等拡散法の他の方法は、永久磁石の一方面にジスプロシウムをスパッタ処理もしくは蒸着処理して成膜し、その後に加熱処理することで成膜側のジスプロシウム含有量が多く、成膜反対側に向かってジスプロシウム含有量を徐々に減少させることができ、やはり永久磁石の領域ごとに保磁力を変化させることが可能となる。
【００１９】
上記するいずれの製造方法によっても、ロータコアの軸方向の両端部に対応する永久磁石の両端部の領域とそれ以外の中央領域とで、それぞれの領域で必要とされる保磁力に応じたジスプロシウム含有量やテルビウム含有量に調整された永久磁石を得ることができる。この永久磁石は最適（必要最低限）な保磁力を有していることから、その磁束密度の減少も可及的に抑止されており、したがって所定のマグネットトルクを得るために必要な磁石量も可及的に少ない量とすることができる。これらのことより、従来のＩＰＭモータに比してロータ内に内蔵される永久磁石の製造コストを格段に廉価とでき、もってロータの製造コストの低減に繋がるものである。
【００２０】
なお、ジスプロシウム（Ｄｙ）やテルビウム（Ｔｂ）の混合量を磁石領域で変化させるほかに、領域ごとに異なる素材で磁石を構成する形態であってもよい。たとえば、保磁力が高い順にネオジム磁石、サマリウムコバルト磁石、フェライト磁石があるが、要求される保磁力ごとに領域を分け、各領域にネオジム磁石、サマリウムコバルト磁石、フェライト磁石を割り当てて一つの永久磁石を形成することができる。この形態の永久磁石は、上記する、領域ごとに保磁力の異なる磁石を別体に成形し、それらを接着剤で接着する方法で製造することが可能である。
【００２１】
上記する本発明の磁石埋め込み型モータ用ロータを具備するモータは、内蔵される永久磁石が所要の保磁力と磁束密度を確保するとともに、その製造コストが格段に廉価となっていることから、近時その量産が盛んで、性能に優れた駆動用モータの搭載が叫ばれているハイブリッド車や電気自動車に好適である。
【発明の効果】
【００２２】
以上の説明から理解できるように、本発明の磁石埋め込み型モータ用ロータによれば、内蔵される永久磁石が領域ごとに必要な保磁力に応じたジスプロシウム含有量やテルビウム含有量に調整されていることから、所望の保磁力と磁束密度を確保しながら、その製造コストを格段に低減することができる。また、渦損を効果的に低減できることから、回転性能や出力性能に優れたモータを得ることができる。
【発明を実施するための最良の形態】
【００２３】
以下、図面を参照して本発明の実施の形態を説明する。なお、図示例は、平面視が矩形の２つの永久磁石をＶ字に配して１つの極が形成されるロータを示しているが、ステータ側にその平面視で長手方向となる側面が対向されるようにして１つの永久磁石が配され、これが１つの極を形成するロータであってもよいことは勿論のことである。
【００２４】
図１は、本発明の磁石埋め込み型モータ用ロータの一実施の形態を示している。このロータ１は、積層鋼板または圧粉磁心からなるロータコアに形成されたスロット内に永久磁石が挿入固定されたものであり、より具体的には、一極当たり平面視が略Ｖ字状（２つの矩形が間隔を置いて略Ｖ字状を呈している）に形成された各スロット内にそれぞれ平面視が矩形の永久磁石２１，２１が配設されてＶ字配置永久磁石２を形成し、これが周方向に亘って所定の極数形成されたロータである。
【００２５】
このロータは、不図示のステータコア内の中空部、すなわち、平面視が略円環状のヨークから径方向内側に突出する複数のティースで形成される中空部に配設されて磁石埋め込み型モータ（ＩＰＭモータ）が形成される。
【００２６】
図２は、永久磁石の実施の形態を示した斜視図である。本発明のロータを構成する永久磁石は、該永久磁石に作用する逆磁界の大きさに応じて保磁力の異なる複数の磁石領域から形成されるものであり、相対的に大きな逆磁界が作用する領域に相対的に保磁力の大きな磁石領域が割り当てられた構成を有している。すなわち、永久磁石はその全体にジスプロシウム（Ｄｙ）やテルビウム（Ｔｂ）等が含有されて所望の（必要最小限の）耐熱性等が担保されているが、その中でも相対的に大きな逆磁界が作用する領域には、特にジスプロシウム等の含有量が多く調整されているものである。
【００２７】
図２ａで示す永久磁石２１は、ロータ１の軸方向の両端部に対応するその両端部に、相対的に保磁力の大きな磁石領域２１ａ，２１ａが配されたものである。
【００２８】
図２ｂで示す永久磁石２１Ａは、永久磁石２１における相対的に保磁力の大きな磁石領域２１ａ，２１ａに加えて、その軸方向に沿う側端部（隅角部）にも、相対的に保磁力の大きな磁石領域２１ｂ，２１ｂが配されたものである。
【００２９】
図２ｃで示す永久磁石２１Ｂは、ロータ１の軸方向の両端部および軸方向に沿う側端部のそれぞれ隅角部にのみ、相対的に保磁力の大きな磁石領域２１ａ’，２１ｂが配されたものである。
【００３０】
図３ａで示す永久磁石２１Ｃは、ロータ１の軸方向の両端部に対応するその両端部であって、特にそのステータ側の領域にのみ相対的に保磁力の大きな磁石領域２１ａ’，２１ａ’が配されたものである。
【００３１】
図３ｂで示す永久磁石２１Ｄは、ロータ１の軸方向の両端部に対応するその両端部および軸方向に沿う側端部であって、特にそのステータ側の領域にのみ相対的に保磁力の大きな磁石領域２１ａ’， ２１ｂが配されたものである。
【００３２】
上記するいずれの実施の形態においても、逆磁界の大きさに応じて、相対的に保磁力の大きな磁石領域が適所に配されていることから、永久磁石に作用する逆磁界に抗し得る保磁力を具備しながらも、その製造コストをより廉価にすることが可能となる。
【００３３】
ここで、図３ｂで示す永久磁石２１Ｄを取上げて、その製造方法を概説する。この製造方法の一つは、ジスプロシウム等拡散法によるものである。具体的には、永久磁石の両端部および側端であってステータ側の領域となる隅角部に、ジスプロシウム等をスパッタ処理もしくは蒸着処理して成膜し、その後に加熱処理することでジスプロシウムを磁石表面より浸透させる。これにより、図３ｂで示すごとく、保磁力分布の異なる永久磁石２１Ｄを得ることができる。
【００３４】
[減磁測定実験とその結果]
本発明者等は、平面寸法（たとえば図１で視認できる永久磁石の平面寸法）が３７．５ｍｍ×４ｍｍ、高さが３０ｍｍの永久磁石試験体を製作するとともに、１つの永久磁石で１つの極を形成する形態のロータを製作し、逆磁界を作用させる前（減磁前）の磁束密度と、減磁後の磁束密度をそれぞれ測定した。なお、減磁量は双方の差分を求めることで求められる。
【００３５】
図４には、永久磁石試験体で減磁前後の磁束密度を測定した測定点および測定ラインを示しており、この測定面は、永久磁石のうち、大きな逆磁界が作用するステータ側の側面である。
【００３６】
図中、ラインＬ１は永久磁石試験体の軸方向（ロータの軸方向に対応）であり、該ライン上に複数の測定点が設けられ、各測定点での減磁前後の測定結果を図５に示している。同様に、永久磁石試験体のラインＬ１に直交する方向がラインＬ２であり、該ラインＬ２上の測定点での減磁前後の測定結果を図６に示している。また、対角線ラインＬ３，Ｌ４上の測定点での減磁前後の測定結果をそれぞれ、図７，８に示している。
【００３７】
図５〜８の測定結果より、減磁前後の差分、すなわち減磁量が顕著な部位は試験体の軸方向の両端部であって、さらにそのステータ側の端部（隅角部）であることが実証された。
【００３８】
また、図９では、図１で示すような略Ｖ字状に永久磁石（平面寸法が９．９ｍｍ×６．５ｍｍ、高さが５７ｍｍ）が配されたロータを製作し、３次元的な減磁量を解析にて求めた結果を示している。図９より、領域Ａが最も減磁量が大きく、領域Ｂ，領域Ｃ，領域Ｄの順に、減磁量が小さくなっている。
【００３９】
図９より、永久磁石のステータ側の両端部および側端の隅角部において減磁量が大きいことが特定できる。なお、同図より、高さが５７ｍｍの本試験体に関し、その両端部の５〜１０ｍｍ程度の範囲に相対的に保磁力の大きな領域を設けるのが好ましいことも特定された。
【００４０】
以上の実験結果からも、図２，３で示すような相対的に保磁力の大きな磁石領域を設けることで、ジスプロシウム等の使用量を最小限に抑えながら、所望保磁力を有する永久磁石を具備したロータ、および該ロータを具備するＩＰＭモータを製造することができる。
【００４１】
上記する永久磁石を内蔵した本発明のロータを具備するモータによれば、内蔵される永久磁石が所要の保磁力と磁束密度を確保するとともに、その製造コストが大幅に低減されることから、モータ性能の向上とモータ製造コストの低減が課題の近時のハイブリッド車等に好適である。
【００４２】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【図面の簡単な説明】
【００４３】
【図１】Ｖ字配置の永久磁石を具備する本発明のロータの一実施の形態の平面図である。
【図２】（ａ），（ｂ），（ｃ）ともに、永久磁石の実施の形態を示した斜視図である。
【図３】（ａ），（ｂ）ともに、永久磁石の実施の形態を示した斜視図である。
【図４】減磁測定実験における、永久磁石表面の測定点、および測定ラインを説明した正面図であって、永久磁石をステータ側から見た側面を示した図である。
【図５】図４のラインＬ１上の測定点に関する減磁前と減磁後の磁束密度を示した実験結果である。
【図６】図４のラインＬ２上の測定点に関する減磁前と減磁後の磁束密度を示した実験結果である。
【図７】図４のラインＬ３上の測定点に関する減磁前と減磁後の磁束密度を示した実験結果である。
【図８】図４のラインＬ４上の測定点に関する減磁前と減磁後の磁束密度を示した実験結果である。
【図９】Ｖ字配置の永久磁石試験体における減磁測定結果を３次元的に示した図である。
【図１０】（ａ）は、従来の磁石埋め込み型モータにおいて、永久磁石に作用する減磁がその平面領域ごとに相違することを説明した図であり、（ｂ）は、永久磁石に作用する減磁がそのステータ側から見た正面領域ごとに相違することを説明した図である。
【符号の説明】
【００４４】
１…ロータ、２…Ｖ字配置永久磁石、２１，２１Ａ，２１Ｂ，２１Ｃ，２１Ｄ…永久磁石、２１ａ，２１ａ’…相対的に保磁力の大きな磁石領域、２１ｂ、２１ｂ’…相対的に保磁力の大きな磁石領域
【図１】
2010119190.tif 000003
【図２】
2010119190.tif 000004
【図３】
2010119190.tif 000005
【図４】
2010119190.tif 000006
【図５】
2010119190.tif 000007
【図６】
2010119190.tif 000008
【図７】
2010119190.tif 000009
【図８】
2010119190.tif 000010
【図９】
2010119190.tif 000011
【図１０】
2010119190.tif 000012